(57)【要約】【課題】  スペース的な制約があっても、対物レンズに対する駆動感度を向上することのできる光ヘッド装置を提案すること。【解決手段】  光ヘッド装置１の対物レンズ駆動装置１０において、互いに異なる極を向ける第１の外側マグネット２６と第１の内側マグネット２８の間、および第２の外側マグネット２７と第２の内側マグネット２９との間に、フォーカシング駆動コイル２１、チルト駆動コイル２３、およびトラッキング駆動コイル２２の有効辺を配置する。また、第１の内側マグネット２８と第２の内側マグネット２９との間には、ヨーク２５の内側マグネット保持部２５４を介在させる。【選択図】  図３
2007018554.tif 000002
【特許請求の範囲】
【請求項１】
対物レンズを保持するレンズホルダと、前記レンズホルダが変位可能に配置された固定側部材と、前記レンズホルダを所定方向に駆動する磁気駆動機構とを有する光ヘッド装置において、
前記磁気駆動機構は、前記レンズホルダ側に配置された複数の駆動コイルと、前記固定側部材の側に配置された複数の駆動マグネットとを備え、
前記駆動コイルには、第１の有効辺と第２の有効辺とが所定の間隔をあけて対向配置された駆動コイルが含まれ、
前記駆動マグネットには、前記第１の有効辺に対して前記第２の有効辺とは反対側に配置された第１の外側マグネットと、前記第１の有効辺を間に挟んで前記第１の外側マグネットに対向配置された第１の内側マグネットと、前記第２の有効辺に対して前記第１の有効辺とは反対側に配置された第２の外側マグネットと、前記第２の有効辺を間に挟んで前記第２の外側マグネットに対向配置された第２の内側マグネットとを備え、
前記第１の外側マグネットと前記第１の内側マグネットは互いに異なる極が対向し、前記第２の外側マグネットと前記第２の内側マグネットは互いに異なる極が対向していることを特徴とする光ヘッド装置。
【請求項２】
請求項１において、前記第１の外側マグネットと前記第２の外側マグネットは互いに同一の極を内側に向けており、
前記第１の内側マグネットにおける前記第１の外側マグネットと対向する側とは反対側の端部と、前記第２の内側マグネットにおける前記第２の外側マグネットと対向する側とは反対側の端部とは、間に磁性体を挟んで前記固定側部材上に配置されていることを特徴とする光ヘッド装置。
【請求項３】
請求項２において、前記固定側部材はヨークとして構成され、当該ヨークの起立部分が前記第１の内側マグネットにおける前記第１の外側マグネットと対向する側とは反対側の端部と、前記第２の内側マグネットにおける前記第２の外側マグネットと対向する側とは反対側の端部との間に挟まれていることを特徴とする光ヘッド装置。
【請求項４】
請求項１ないし３のいずれかにおいて、前記駆動コイルには、フォーカシング駆動コイル、トラッキング駆動コイル、およびチルト駆動コイルが含まれ、
前記第１の有効辺および前記第２の有効辺は、トラッキング方向におよびフォーカシング方向に直交するタンジェンシャル方向で対向し、
前記フォーカシング駆動コイルの有効辺、前記トラッキング駆動コイルの有効辺、および前記チルト駆動コイルの有効辺の各々が、前記第１の有効辺あるいは前記第２の有効辺として前記第１の外側マグネットと前記第２の内側マグネットとの間、あるいは前記第２の外側マグネットと前記第２の内側マグネットとの間に配置されていることを特徴とする光ヘッド装置。
【発明の詳細な説明】
【技術分野】
【０００１】
本発明は、ＣＤやＤＶＤなどの光記録ディスクの再生、記録に用いられる光ヘッド装置に関するものである。
【背景技術】
【０００２】
ＣＤやＤＶＤなどの光記録ディスクの記録、再生等に用いられる光ヘッド装置は、一般に、光源からの出射光を光記録ディスクに収束させる対物レンズを駆動するための対物レンズ駆動装置を有している。対物レンズ駆動装置は、対物レンズを保持するレンズホルダの側に配置された駆動コイルと、固定側部材の側で駆動コイルに対向する駆動マグネットとを備えた磁気駆動機構を備えており、駆動コイルに給電し、駆動コイルと駆動マグネットの間に作用する磁気力を利用して、レンズホルダを所定方向に駆動する。
【０００３】
かかる対物レンズ駆動装置では、対物レンズの駆動感度の向上を図るために、駆動マグネットからの磁束を駆動コイルに導くように、駆動コイルを挟んで駆動マグネットに対向する位置に内ヨークが配置されているものがある（例えば、特許文献１、２、３、４参照）。
【特許文献１】特許第２５７５３５４号公報
【特許文献２】特開平０６−２９０４７１号公報
【特許文献３】特開２００１−２１６６６５号公報
【特許文献４】特開２００３−３１７２８２号公報
【発明の開示】
【発明が解決しようとする課題】
【０００４】
このような光ヘッド装置では、対物レンズの駆動感度の更なる向上が求められており、それには、駆動コイルに鎖交する磁束密度を高める必要がある。しかしながら、レンズホルダの可動範囲を確保するという点を考慮すると駆動マグネットと内ヨークの距離を狭めることが困難であるなど、光ヘッド装置にはスペース的な制約が大きく、対物レンズの駆動感度の更なる向上を図るのが困難であるという問題点がある。
【０００５】
以上の問題点に鑑みて、本発明の課題は、スペース的な制約があっても、対物レンズに対する駆動感度を向上することのできる光ヘッド装置を提案することにある。
【課題を解決するための手段】
【０００６】
上記課題を解決するために、本発明では、対物レンズを保持するレンズホルダと、前記レンズホルダが変位可能に配置された固定側部材と、前記レンズホルダを所定方向に駆動する磁気駆動機構とを有する光ヘッド装置において、前記磁気駆動機構は、前記レンズホルダ側に配置された複数の駆動コイルと、前記固定側部材の側に配置された複数の駆動マグネットとを備え、前記駆動コイルには、第１の有効辺と第２の有効辺とが所定の間隔をあけて対向配置された駆動コイルが含まれ、前記駆動マグネットには、前記第１の有効辺に対して前記第２の有効辺とは反対側に配置された第１の外側マグネットと、前記第１の有効辺を間に挟んで前記第１の外側マグネットに対向配置された第１の内側マグネットと、前記第２の有効辺に対して前記第１の有効辺とは反対側に配置された第２の外側マグネットと、前記第２の有効辺を間に挟んで前記第２の外側マグネットに対向配置された第２の内側マグネットとを備え、前記第１の外側マグネットと前記第１の内側マグネットは、互いに異なる極が対向し、前記第２の外側マグネットと前記第２の内側マグネットは、互いに異なる極が対向していることを特徴とする。
【０００７】
本発明において、第１の外側マグネットと第１の内側マグネットは、互いに異なる極が対向しているため、第１の内側マグネットに相当する位置にヨークを配置した場合と比較して、第１の外側マグネットの磁束を第１の有効辺に効率良く導くことができ、第１の有効辺に鎖交する磁束の密度を高めることができる。また、第２の外側マグネットと第２の内側マグネットも、互いに異なる極が対向しているため、第２の内側マグネットに相当する位置にヨークを配置した場合と比較して、第２の外側マグネットの磁束を第２の有効辺に効率良く導くことができ、第１の有効辺に鎖交する磁束の密度を高めることができる。それ故、レンズホルダに作用する推力を高めることができるので、対物レンズの駆動感度を向上することができる。
【０００８】
本発明において、前記第１の外側マグネットと前記第２の外側マグネットは、互いに同一の極を内側に向けている場合、前記第１の内側マグネットにおける前記第１の外側マグネットと対向する側とは反対側の端部と、前記第２の内側マグネットにおける前記第２の外側マグネットと対向する側とは反対側の端部とは、同一の極を内側に向けることになる。このような場合、前記第１の内側マグネットにおける前記第１の外側マグネットと対向する側とは反対側の端部と、前記第２の内側マグネットにおける前記第２の外側マグネットと対向する側とは反対側の端部とは、間に磁性体を挟んで前記固定側部材上に配置されていることが好ましい。このように構成すると、第１の内側マグネットにおける第１の外側マグネットと対向する側とは反対側の端部と、第２の内側マグネットにおける第２の外側マグネットと対向する側とは反対側の端部が、同一の極を内側に向けている場合でも、内側マグネット同士が反発し合うことがないので、第１の内側マグネットと第２の内側マグネットとを安定して配置することができる。
【０００９】
本発明において、前記固定側部材はヨークとして構成されている場合があり、この場合、当該ヨークの起立部分が前記第１の内側マグネットにおける前記第１の外側マグネットと対向する側とは反対側の端部と、前記第２の内側マグネットにおける前記第２の外側マグネットと対向する側とは反対側の端部との間に挟まれていることが好ましい。このように構成すると、簡素な構成で磁路を構成することができる。
【００１０】
本発明において、前記駆動コイルには、フォーカシング駆動コイル、トラッキング駆動コイル、およびチルト駆動コイルが含まれている場合があり、この場合、前記第１の有効辺および前記第２の有効辺は、トラッキング方向におよびフォーカシング方向に直交するタンジェンシャル方向で対向し、前記フォーカシング駆動コイルの有効辺、前記トラッキング駆動コイルの有効辺、および前記チルト駆動コイルの有効辺の各々が、前記第１の有効辺あるいは前記第２の有効辺として前記第１の外側マグネットと前記第２の内側マグネットとの間、あるいは前記第２の外側マグネットと前記第２の内側マグネットとの間に配置されていることが好ましい。このように構成すると、駆動マグネットを共通にして、レンズホルダをフォーカシング方向、トラッキング方向、およびチルト方向に駆動することができる。
【発明の効果】
【００１１】
本発明において、第１の外側マグネットと第１の内側マグネットは、互いに異なる極が対向しているため、第１の内側マグネットに相当する位置にヨークを配置した場合と比較して、第１の外側マグネットの磁束を第１の有効辺に効率良く導くことができ、第１の有効辺に鎖交する磁束の密度を高めることができる。また、第２の外側マグネットと第２の内側マグネットも、互いに異なる極が対向しているため、第２の内側マグネットに相当する位置にヨークを配置した場合と比較して、第２の外側マグネットの磁束を第２の有効辺に効率良く導くことができ、第１の有効辺に鎖交する磁束の密度を高めることができる。それ故、レンズホルダに作用する推力を高めることができるので、対物レンズの駆動感度を向上することができる。また、従来、内ヨークが配置されていた部分に内側マグネットを配置すればよいので、装置の大幅な設計変更を行う必要がなく、装置が大型化することもない。
【発明を実施するための最良の形態】
【００１２】
以下に、図面を参照して、本発明を適用した光ヘッド装置の一例を説明する。
【００１３】
（全体構成）
図１は、本発明に係る光ヘッド装置において、対物レンズ駆動装置の装置カバーを外した状態の斜視図である。図２は、図１に示す対物レンズ駆動装置の磁気駆動機構などを抜き出して示す分解斜視図である。
【００１４】
図１および図２に示す光ヘッド装置１は、ＣＤあるいはＤＶＤなどの光記録ディスクに対する情報記録、情報再生を行うものであり、図示を省略するが、レーザ光源から出射されたレーザ光が、コリメートレンズで平行光化された後、１／４波長板４、立上げミラー５を経て対物レンズ６で集光されて光記録ディスクの情報記録面に焦点を結ぶように構成されている。対物レンズ６は、ワイヤサスペンション方式の対物レンズ駆動装置１０によって、トラッキング方向、フォーカシング方向およびチルト方向の駆動が制御される。なお、光記録ディスクで反射した戻り光は、対物レンズ６を通過して再び立上げミラー５で反射し、ビームスプリッタで部分反射された後、光検出器に入射する。駆動制御装置は、光検出器での受光量に基づき、情報再生処理を行うとともに、対物レンズ駆動装置１０を駆動制御して対物レンズ６のトラッキング方向、フォーカシング方向およびチルト方向の位置をサーボ制御するとともに、レーザ光源の駆動制御も行う。
【００１５】
対物レンズ駆動装置１０は、対物レンズ６を保持するレンズホルダ１１と、このレンズホルダ１１の左右両側で上下３段に配置された６本のワイヤ１２によりレンズホルダ１１を変位可能に支持しているホルダ支持部材１３と、このホルダ支持部材１３を固定保持するベース部材１４と、レンズホルダ１１を矢印Ｔｒで示すトラッキング方向、矢印Ｆｏで示すフォーカシング方向、および矢印Ｔｉで示すチルト方向に駆動するための磁気駆動機構１５を有している。ここで、レンズホルダ１１の両側に配置された６本のワイヤ１２は、後述するフォーカシング駆動コイル、トラッキング駆動コイル、およびチルト駆動コイルへの給電ワイヤとして用いられている。このため、ワイヤ１２の基端側は、ホルダ支持部材１３の背面に取り付けられたプリント基板１７の配線パターンにハンダ等によりそれぞれ固定されている。また、ワイヤ１２の先端側は、レンズホルダ１１の左右両側に固着されている中継基板１８にハンダにより固定されている。プリント基板１７にはフレキシブルプリント基板１９が接続され、外部から各駆動コイルに対する給電が行われる。
【００１６】
レンズホルダ１１は、その中央に対物レンズ６を保持しており、立上げミラー５への光路を確保するため、光記録ディスクの半径方向であるタンジェンシャル方向（矢印Ｔａで示す方向）から見たとき、逆凹の字形状を有している。すなわち、ヨーク２５の内側では、立上げミラー５がヨーク２５の底板部２５１に接着剤などにより固定されており、レンズホルダ１１は、立上げミラー５への光路を確保する切り欠き部１１１が形成されている。本形態では、この切り欠き部１１１の内側に１／４波長板４が配置されている。
【００１７】
（磁気駆動機構１５の詳細な構成）
図３は、本発明を適用した光ヘッド装置の対物レンズ駆動装置における磁気駆動回路を示す説明図である。なお、本形態の光ヘッド装置においては、トラッキング方向における両側に駆動コイルおよび駆動マグネットが同一の構成をもって配置されているので、図１、図２および図３では、トラッキング方向における両側に配置された駆動コイルおよび駆動マグネットについては同一の符号を付してある。
【００１８】
図１、図２および図３に示すように、磁気駆動機構１５は、レンズホルダ１１の側に搭載されたフォーカシング駆動コイル２１、トラッキング駆動コイル２２、およびチルト駆動コイル２３と、後述する複数の駆動マグネットと、ヨーク２５とを有している。
【００１９】
３種類の駆動コイルのうち、フォーカシング駆動コイル２１は、レンズホルダ１１のトラッキング方向Ｔｒで離間する位置にそれぞれ２個配置されている。２個のフォーカシング駆動コイル２１は、トラッキング方向Ｔｒに巻回されている第１辺部分２１ａと、タンジェンシャル方向Ｔａに巻回されている第２辺部分２１ｂと、トラッキング方向Ｔｒに巻回されている第３辺部分２１ｃと、タンジェンシャル方向Ｔａに巻回されている第４辺部分２１ｄとを備えている。本形態では、これらの辺部分２１ａ〜２１ｄのうち、タンジェンシャル方向で対向する第１辺部分２１ａおよび第３辺部分２１ｃが、後述する駆動マグネットと対向しており、第１辺部分２１ａが第１の有効辺として機能し、第３辺部分２１ｃが第２の有効辺として機能する。
【００２０】
チルト駆動コイル２３は、フォーカシング駆動コイル２１に同軸状に２個配置されている。このため、２個のチルト駆動コイル２３も、フォーカシング駆動コイル２１と同様、トラッキング方向Ｔｒに巻回されている第１辺部分２３ａと、タンジェンシャル方向Ｔａに巻回されている第２辺部分２３ｂと、トラッキング方向Ｔｒに巻回されている第３辺部分２３ｃと、タンジェンシャル方向Ｔａに巻回されている第４辺部分２３ｄとを備えている。本形態では、これらの辺部分２３ａ〜２３ｄのうち、タンジェンシャル方向で対向する第１辺部分２３ａおよび第３辺部分２３ｃが、後述する駆動マグネットと対向しており、第１辺部分２３ａが第１の有効辺として機能し、第３辺部分２３ｃが第２の有効辺として機能する。
【００２１】
また、トラッキング駆動コイル２２は、４個の平面コイルからなり、これらの４個の平面コイルは、トラッキング方向Ｔｒで離間する位置でフォーカシング駆動コイル２１およびチルト駆動コイル２３の外面に貼付されている。ここで、トラッキング駆動コイル２２は、４つの辺部分のうち、フォーカシング駆動コイル２１およびチルト駆動コイル２３の第１辺部分２１ａ、２３ａおよび第３辺部分２１ｃ、２３ｃと重なる部分が、後述する駆動マグネットと対向する。以下、タンジェンシャル方向で対向する２つのトラッキング駆動コイル２２のうち、一方のトラッキング駆動コイル２２において、フォーカシング駆動コイル２１およびチルト駆動コイル２３の第１辺部分２１ａ、２３ａと重なる辺部分２２ａを第１の有効辺とし、他方のトラッキング駆動コイル２２において、フォーカシング駆動コイル２１およびチルト駆動コイル２３の第３辺部分２１ｃ、２３ｃと重なる辺部分２２ｃを第２の有効辺とする。
【００２２】
本形態において、フォーカシング駆動コイル２１、トラッキング駆動コイル２２、およびチルト駆動コイル２３の各有効辺に対して鎖交する磁束を発生させるために、以下に説明する４つの駆動マグネットがトラッキング方向における両側に各々配置されている。
【００２３】
まず、第１の有効辺（フォーカシング駆動コイル２１の第１辺部分２１ａ、チルト駆動コイル２３の第１辺部分２３ａ、およびトラッキング駆動コイル２２の辺部分２２ａ）に対しては、その外側に第１の外側マグネット２６が対向配置され、内側には第１の内側マグネット２８が対向配置されている。また、第２の有効辺（フォーカシング駆動コイル２１の第３辺部分２１ｃ、チルト駆動コイル２３の第３辺部分２３ｃ、およびトラッキング駆動コイル２２の辺部分２２ｃ）に対しては、その外側に第２の外側マグネット２７が対向配置され、内側には第２の内側マグネット２９が対向配置されている。
【００２４】
このようにして、第１の外側マグネット２６は、フォーカシング駆動コイル２１、チルト駆動コイル２３、およびトラッキング駆動コイル２２の各第１の有効辺に対して第２の有効辺とは反対側に配置され、第１の内側マグネット２８は、第１の有効辺を間に挟んで第１の外側マグネット２６に対向配置されている。また、第２の外側マグネット２７は、フォーカシング駆動コイル２１、チルト駆動コイル２３、およびトラッキング駆動コイル２２の各第２の有効辺に対して第１の有効辺とは反対側に配置され、第２の内側マグネット２９は、第２の有効辺を間に挟んで第２の外側マグネット２７に対向配置されている。
【００２５】
ここで、第１の外側マグネット２６と第１の内側マグネット２８は互いに異なる極が対向し、第２の外側マグネット２７と第２の内側マグネット２９は互いに異なる極が対向している。また、第１の外側マグネット２６と第２の外側マグネット２７は互いに同一の極、本形態ではＮ極を内側に向けているため、第１の内側マグネット２８における第１の外側マグネット２６と対向する側の端部、および第２の内側マグネット２９における第２の外側マグネット２７と対向する側の端部はいずれも、本形態ではＳ極である。従って、本形態において、第１の内側マグネット２８における第１の外側マグネット２６と対向する側とは反対側の端部と、第２の内側マグネット２９における第２の外側マグネット２７と対向する側とは反対側の端部とは、同一の極、本形態ではＮ極を内側に向けている。
【００２６】
本形態において、ヨーク２５は、ベース部材１４とともに光ヘッド装置１の装置フレーム（図示せず）への固定側部材としても用いられ、ヨーク２５の上方にはレンズホルダ１１が変位可能に配置されている。ここで、ヨーク２５は、薄板状の磁性板をプレス加工することにより形成され、ベース部材１４上に搭載される底板部２５１と、底板部２５１からレンズホルダ１１を挟むように立ち上げられた２つの外側マグネット保持部２５２、２５３と、底板部２５１から外側マグネット保持部２５２、２５３の内側の面に対向する位置に立ち上げられた内側マグネット保持部２５４とを備えている。ここで、２つの外側マグネット保持部２５２、２５３は各々、第１の外側マグネット２６および第２の外側マグネット２７のバックヨークとして機能している。
【００２７】
これに対して、内側マグネット保持部２５４は、第１の内側マグネット２８および第２の内側マグネット２９に対して共通のバックヨークとして機能している。また、第１の内側マグネット２８における第１の外側マグネット２６と対向する側とは反対側の端部と、第２の内側マグネット２９における第２の外側マグネット２７と対向する側とは反対側の端部はいずれも、同一の極（例えば、Ｎ極）を内側に向けているため、内側マグネット保持部２５４は、第１の内側マグネット２８と第２の内側マグネット２９とを離間させ、所定位置に固定する機能も担っている。
【００２８】
（本形態の作用および効果）
このように構成した光ヘッド装置１の対物レンズ駆動装置１０においては、第１の外側マグネット２６および第２の外側マグネット２７の内側がＮ極であり、第１の内側マグネット２８および第２の内側マグネット２９の外側がＳ極であるため、第１の外側マグネット２６から第１の内側マグネット２８に向けて第１の有効辺（フォーカシング駆動コイル２１の第１辺部分２１ａ、チルト駆動コイル２３の第１辺部分２３ａ、およびトラッキング駆動コイル２２の辺部分２２ａ）を鎖交する磁束が発生し、第２の外側マグネット２７から第２の内側マグネット２９に向けて第２の有効辺（フォーカシング駆動コイル２１の第３辺部分２１ｃ、チルト駆動コイル２３の第３辺部分２３ｃ、およびトラッキング駆動コイル２２の辺部分２２ｃ）を鎖交する磁束が発生している。しかも、第１の内側マグネット２８および第２の内側マグネット２９に相当する位置に内ヨークを配置した場合と比較して、鎖交する磁束の密度が高い。このため、フォーカシング駆動コイル２１、チルト駆動コイル２３、およびトラッキング駆動コイル２２に所定の電流を通電すると、レンズホルダ１１（対物レンズ６）は、フォーカシング方向、チルト方向、トラッキング方向に高い感度をもって駆動される。しかも、従来の内ヨークの代わりに第１の内側マグネット２８および第２の内側マグネット２９を配置したので、装置の大幅な設計変更を行う必要がなく、また、装置が大型化することもない。
【００２９】
また、第１の内側マグネット２８における第１の外側マグネット２６と対向する側とは反対側の端部と、第２の内側マグネット２９における第２の外側マグネット２７と対向する側とは反対側の端部とは、互いに同一の磁極（Ｎ極）を向けているが、その間には磁性体（ヨーク２５の内側マグネット保持部２５４）が介在しているので、第１の内側マグネット２８と第２の内側マグネット２９とを所定位置に離間した状態に安定に配置することができる。
【００３０】
（その他の実施の形態）
上記形態においては、第１の外側マグネット２６と第１の内側マグネット２８との間、および第２の外側マグネット２７と第２の内側マグネット２９との間にフォーカシング駆動コイル２１、チルト駆動コイル２４およびトラッキング駆動コイル２２の各有効辺を配置したため、外側マグネット２６、２７と内側マグネット２８、２９をフォーカシング駆動用、チルト駆動用、およびトラッキング駆動用の共通のマグネットとして利用したが、これらの３種類の駆動コイルの１種類あるいは２種類の駆動コイルの有効辺のみが第１の外側マグネット２６と第１の内側マグネット２８との間、および第２の外側マグネット２７と第２の内側マグネット２９との間に配置されている構成を採用してもよい。
【００３１】
また、上記形態では、第１の内側マグネット２８と第２の内側マグネット２９との間に磁性体（ヨーク２５の内側マグネット保持部２５４）を介在させたが、２つの内側マグネットを貼り合わせて一体化したものを用いてもよい。
【００３２】
さらに、フォーカシング駆動コイル２１は、トラッキング方向Ｔｒで２分割にした構造であったが、立上げミラーなどの光学系の構成によっては、さらにタンジェンシャル方向Ｔａで分割して４分割にした構造、あるいは、分割せずにレンズホルダ１１の胴部に巻回した構造であってもよい。
【００３３】
なお、対物レンズ駆動装置１０については、ワイヤサスペンション型のものに限られず、ベース部材１４に支持軸を設けて、レンズホルダをその支持軸に対して摺動・回動可能に支持するいわゆる軸摺動・回転型の対物レンズ駆動装置を備えた光ヘッド装置に本発明を適用してもよい。
【図面の簡単な説明】
【００３４】
【図１】本発明を適用した光ヘッド装置において、対物レンズ駆動装置から装置カバーを外した状態の斜視図である。
【図２】図１に示す対物レンズ駆動装置の磁気駆動機構などを抜き出して示す分解斜視図である。
【図３】図１に示す対物レンズ駆動装置における磁気駆動回路を示す説明図である。
【符号の説明】
【００３５】
１  光ヘッド装置
６  対物レンズ
１０  対物レンズ駆動装置
１１  レンズホルダ
１２  ワイヤ
１３  ホルダ支持部材
１４  ベース部材
１５  磁気駆動機構
１６  装置カバー
２１  フォーカシング駆動コイル
２２  トラッキング駆動コイル
２３  チルト駆動コイル
２５  ヨーク（固定側部材）
２６  第１の外側マグネット
２７  第２の外側マグネット
２８  第１の内側マグネット
２９  第２の内側マグネット
２５４  内側マグネット保持部
【図１】
2007018554.tif 000003
【図２】
2007018554.tif 000004
【図３】
2007018554.tif 000005